(57)【要約】【課題】安全性及び接続作業性に優れたスライドガイド部材付きフラット回路体、並びに、フラット回路体とコネクタの接続構造を提供すること。【解決手段】フラット回路体１０の端末部１１に組み付けたスライドガイド部材２０とともに端末部１１がコネクタ８０のハウジング８１内に挿入されることによって端末部１１に形成された電極１３とハウジング８１内の端子９０とが電気的に接続される。スライドガイド部材２０は、端末部１１とともにハウジング８１内に挿入され、かつ、端末部１１の電極１３が形成される面に対して逆の面がフラット回路体１０の挿入方向に沿って支持されるように挿入方向に沿って延びるハウジング内挿入壁３３と、ハウジング内挿入壁３３に対して略平行に並んで電極１３を覆うように片持ち状に挿入方向に突出し、かつ、ハウジング８１の外側面８１ａに沿って延びるハウジング外案内壁６２と、を備える。【選択図】図７
2020004503.tif 000002
【特許請求の範囲】
【請求項１】
フラット回路体の端末部に組み付けたスライドガイド部材とともに前記端末部がコネクタのハウジング内に挿入されることによって前記端末部に形成された電極と前記ハウジング内の端子とが電気的に接続されるスライドガイド部材付きフラット回路体であって、
前記スライドガイド部材は、
前記端末部とともに前記ハウジング内に挿入され、かつ、前記端末部の前記電極が形成される面に対して逆の面が前記フラット回路体の挿入方向に沿って支持されるように前記挿入方向に沿って延びるハウジング内挿入壁と、
前記ハウジング内挿入壁に対して略平行に並んで前記電極を覆うように片持ち状に前記挿入方向に突出し、かつ、前記ハウジングの外側面に沿って延びるハウジング外案内壁と、
を備えることを特徴とするスライドガイド部材付きフラット回路体。
【請求項２】
フラット回路体の端末部に組み付けたスライドガイド部材とともに前記端末部がコネクタのハウジング内に挿入され、前記スライドガイド部材と前記ハウジングとが固定されることによって、前記端末部に形成した電極と前記ハウジング内の端子とが電気的に接続された状態で前記フラット回路体が前記ハウジングに固定されるフラット回路体とコネクタの接続構造であって、
前記スライドガイド部材は、
前記端末部とともに前記ハウジング内に挿入され、かつ、前記端末部の前記電極が形成される面に対して逆の面が前記フラット回路体の挿入方向に沿って支持されるように前記挿入方向に沿って延びるハウジング内挿入壁と、
前記ハウジング内挿入壁に対して略平行に並んで前記電極を覆うように片持ち状に前記挿入方向に突出し、かつ、前記ハウジングの外側面に沿って延びるハウジング外案内壁と、
を備えることを特徴とするフラット回路体とコネクタの接続構造。
【請求項３】
前記スライドガイド部材は、
前記端末部に組み付ける部分となる回路体組付け部と、前記ハウジングのロック用突起に係合して前記スライドガイド部材を前記ハウジングに固定する部分となる接続ロック部と、前記ハウジング内挿入壁と、を有するスライド本体部と、
前記回路体組付け部との間で前記端末部を挟持する回路体挟持部と、前記ハウジング外案内壁と、を有して前記スライド本体部に組み付けられるスライドカバーと、
を備えることを特徴とする請求項２に記載のフラット回路体とコネクタの接続構造。
【請求項４】
前記スライドカバーは、
前記回路体挟持部の幅方向の両端部から前記ハウジングの幅方向の両側面に沿って片持ち状に前記挿入方向に突出し、かつ、前記スライド本体部の係止突起に係合して前記スライドカバーを前記スライド本体部に係止する部分となる係止ロック部と、
前記挿入方向に沿って前記係止ロック部に形成された補強リブと、
を有することを特徴とする請求項３に記載のフラット回路体とコネクタの接続構造。
【請求項５】
前記スライドガイド部材には、前記コネクタの前記ハウジングに形成されたガイド突起が係合されるガイド溝が前記ハウジングへの挿入方向に沿って形成されている
ことを特徴とする請求項２〜請求項４のいずれか一項に記載のフラット回路体とコネクタの接続構造。
【発明の詳細な説明】
【技術分野】
【０００１】
本発明は、スライドガイド部材付きフラット回路体、並びに、フラット回路体とコネクタの接続構造に関する。
【背景技術】
【０００２】
フレキシブルプリント配線板（ＦＰＣ：Ｆｌｅｘｉｂｌｅ  Ｐｒｉｎｔｅｄ  Ｃｉｒｃｕｉｔ）、あるいは、フレキシブルフラットケーブル等のフラット回路体は、その端末部に設けられたスライドガイド部材を相手側のコネクタのハウジング内へ挿し込むことで、端末部の電極がコネクタのハウジングに設けられた端子に電気的に接続される（例えば、特許文献１，２参照）。
【先行技術文献】
【特許文献】
【０００３】
【特許文献１】特開２０１３−６２１１６号公報
【特許文献２】特開２０１７−４８５７号公報
【発明の概要】
【発明が解決しようとする課題】
【０００４】
ところで、コネクタに対してフラット回路体の端末部を接続させる際に、作業者は狭隘な作業スペースにおいて手探りで作業を行うこととなる場合がある。このような場合、フラット回路体の端末部で露出している電極に作業者が触れてしまうおそれがある。このため、フラット回路体に対しては、作業スペースが狭隘であっても、相手側コネクタに対して安全かつ円滑に接続作業を行えることが望まれている。
【０００５】
本発明は、上述した事情に鑑みてなされたものであり、その目的は、安全性及び接続作業性に優れたスライドガイド部材付きフラット回路体、並びに、フラット回路体とコネクタの接続構造を提供することにある。
【課題を解決するための手段】
【０００６】
前述した本発明の目的は、下記構成により達成される。
（１）  フラット回路体の端末部に組み付けたスライドガイド部材とともに前記端末部がコネクタのハウジング内に挿入されることによって前記端末部に形成された電極と前記ハウジング内の端子とが電気的に接続されるスライドガイド部材付きフラット回路体であって、前記スライドガイド部材は、前記端末部とともに前記ハウジング内に挿入され、かつ、前記端末部の前記電極が形成される面に対して逆の面が前記フラット回路体の挿入方向に沿って支持されるように前記挿入方向に沿って延びるハウジング内挿入壁と、前記ハウジング内挿入壁に対して略平行に並んで前記電極を覆うように片持ち状に前記挿入方向に突出し、かつ、前記ハウジングの外側面に沿って延びるハウジング外案内壁と、を備えることを特徴とするスライドガイド部材付きフラット回路体。
【０００７】
上記（１）の構成のスライドガイド部材付きフラット回路体によれば、フラット回路体の端末部に組み付けたスライドガイド部材のハウジング内挿入壁が、端末部の電極が露出形成される面と逆の面のみをフラット回路体の挿入方向に沿って支持するので、スライドガイド部材を低背化してコンパクトな構成とすることができる。また、スライドガイド部材のハウジング外案内壁によって、端末部の露出形成された電極が覆われているので、コネクタに対する接続作業の際などに端末部の電極に手指が不用意に触れてしまうことがない。したがって、特に作業スペースが狭隘であっても、相手側のコネクタに対して安全かつ良好に接続作業を行うことができる。
【０００８】
（２）  フラット回路体の端末部に組み付けたスライドガイド部材とともに前記端末部がコネクタのハウジング内に挿入され、前記スライドガイド部材と前記ハウジングとが固定されることによって、前記端末部に形成した電極と前記ハウジング内の端子とが電気的に接続された状態で前記フラット回路体が前記ハウジングに固定されるフラット回路体とコネクタの接続構造であって、前記スライドガイド部材は、前記端末部とともに前記ハウジング内に挿入され、かつ、前記端末部の前記電極が形成される面に対して逆の面が前記フラット回路体の挿入方向に沿って支持されるように前記挿入方向に沿って延びるハウジング内挿入壁と、前記ハウジング内挿入壁に対して略平行に並んで前記電極を覆うように片持ち状に前記挿入方向に突出し、かつ、前記ハウジングの外側面に沿って延びるハウジング外案内壁と、を備えることを特徴とするフラット回路体とコネクタの接続構造。
【０００９】
上記（２）の構成のフラット回路体とコネクタの接続構造によれば、フラット回路体の端末部に組み付けたスライドガイド部材のハウジング内挿入壁が、端末部の電極が露出形成される面と逆の面のみをフラット回路体の挿入方向に沿って支持するので、スライドガイド部材を低背化してコンパクトなコネクタを構成することができる。また、スライドガイド部材のハウジング外案内壁によって、端末部の露出形成された電極が覆われているので、コネクタに対する接続作業の際などに端末部の電極に手指が不用意に触れてしまうことがない。したがって、特に作業スペースが狭隘であっても、相手側のコネクタに対して安全かつ良好に接続作業を行うことができる。
また、スライドガイド部材に設けたハウジング外案内壁が、コネクタに対する接続時にはコネクタのハウジングの外側面に沿って案内される。これにより、斜め挿入や抉りを生じることなく、フラット回路体の端末部及びスライドガイド部材をコネクタのハウジング内にスムーズに挿入することができる。
【００１０】
（３）  前記スライドガイド部材は、前記端末部に組み付ける部分となる回路体組付け部と、前記ハウジングのロック用突起に係合して前記スライドガイド部材を前記ハウジングに固定する部分となる接続ロック部と、前記ハウジング内挿入壁と、を有するスライド本体部と、前記回路体組付け部との間で前記端末部を挟持する回路体挟持部と、前記ハウジング外案内壁と、を有して前記スライド本体部に組み付けられるスライドカバーと、を備えることを特徴とする上記（２）に記載のフラット回路体とコネクタの接続構造。
【００１１】
上記（３）の構成のフラット回路体とコネクタの接続構造によれば、スライド本体部とスライドカバーとで端末部を挟持することで、スライドガイド部材をフラット回路体に組み付けることができる。したがって、一体のスライドガイド部材の回路体固定部にフラット回路体の端末部を挿し込んで固定する場合のように、電極が視認しづらくなることはなく、組み付け時にフラット回路体の端末部の露出形成された電極を目視することができる。これにより、フラット回路体の端末部に対するスライドガイド部材の組み付け作業性を向上させることができる。
【００１２】
（４）  前記スライドカバーは、前記回路体挟持部の幅方向の両端部から前記ハウジングの幅方向の両側面に沿って片持ち状に前記挿入方向に突出し、かつ、前記スライド本体部の係止突起に係合して前記スライドカバーを前記スライド本体部に係止する部分となる係止ロック部と、前記挿入方向に沿って前記係止ロック部に形成された補強リブと、
を有することを特徴とする上記（３）に記載のフラット回路体とコネクタの接続構造。
【００１３】
上記（４）の構成のフラット回路体とコネクタの接続構造によれば、ハウジングの幅方向の両側面に沿って片持ち状に挿入方向に突出したスライドカバーの係止ロック部は、補強リブが形成されることで剛性を確保できる。したがって、スライドカバーの係止ロック部をスライド本体部の係止突起へ確実に係止させ、スライド本体部に対してスライドカバーを固定することができる。
【００１４】
（５）  前記スライドガイド部材には、前記コネクタの前記ハウジングに形成されたガイド突起が係合されるガイド溝が前記ハウジングへの挿入方向に沿って形成されていることを特徴とする上記（２）〜（４）のいずれか一つに記載のフラット回路体とコネクタの接続構造。
【００１５】
上記（５）の構成のフラット回路体とコネクタの接続構造によれば、スライドガイド部材のガイド溝にハウジングのガイド突起が係合することで、ハウジングに対してスライドガイド部材が案内される。これにより、斜め挿入や抉りを生じることなく、スライドガイド部材をハウジング内によりスムーズに挿入することができる。また、ハウジングのガイド突起及びスライドガイド部材のガイド溝の位置を種類毎に異ならせることで、異種同士の誤接続を防止できる。
【発明の効果】
【００１６】
本発明によれば、安全性及び接続作業性に優れたスライドガイド部材付きフラット回路体、並びに、フラット回路体とコネクタの接続構造を提供できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本発明の一実施形態に係るコネクタ及びスライドガイド部材付きフラット回路体の接続された状態の斜視図である。
【図２】図２は、図１に示したコネクタ及びスライドガイド部材付きフラット回路体の分離された状態の斜視図である。
【図３】図３は、接続されたコネクタ及びスライドガイド部材付きフラット回路体の断面図である。
【図４】図４は、露出形成された電極を上向きにしたスライドガイド部材付きフラット回路体の斜視図である。
【図５】図５は、露出形成された電極を上向きにしたスライドガイド部材付きフラット回路体の分解斜視図である。
【図６】図６は、露出形成された電極を下向きにしたスライドガイド部材付きフラット回路体の分解斜視図である。
【図７】図７は、フラット回路体に組み付けられたスライドガイド部材の斜視図である。
【図８】図８は、フラット回路体に組み付けられたスライドガイド部材の平面図である。
【図９】図９は、フラット回路体に組み付けられたスライドガイド部材を示す図であって、図９の（ａ）は正面図、図９の（ｂ）は分解した状態の正面図である。
【図１０】図１０は、スライドガイド部材のスライド本体部を幅方向中央部分で破断した斜視図である。
【図１１】図１１は、フラット回路体へのスライドガイド部材の組み付け工程を説明するスライドガイド部材付きフラット回路体の分解斜視図である。
【図１２】図１２は、係止突起に係止される係止ロック部を示す図であって、図１２の（ａ）は係止直前における断面図、図１２の（ｂ）は係止状態における断面図である。
【図１３】図１３は、コネクタの構造を説明する回路基板に実装されたコネクタの斜視図である。
【図１４】図１４は、コネクタの構造を説明する回路基板に実装されたコネクタの正面図である。
【発明を実施するための形態】
【００１９】
以下、本発明に係るスライドガイド部材付きフラット回路体、並びに、フラット回路体とコネクタの接続構造の実施の形態の例を、図面を参照して説明する。
【００２０】
図１〜図３に示すように、スライドガイド部材付きフラット回路体１は、相手側のコネクタ８０に接続される。スライドガイド部材付きフラット回路体１のフラット回路体１０には、その端末部１１に、スライドガイド部材２０が組み付けられており、このスライドガイド部材２０がコネクタ８０のハウジング８１に挿入されることでコネクタ８０に接続される。コネクタ８０は、回路基板１００に実装されている。
【００２１】
図４〜図６に示すように、スライドガイド部材２０が組み付けられるフラット回路体１０は、可撓性を有する平板状の回路体であり、例えば、フレキシブルプリント配線板（ＦＰＣ：Ｆｌｅｘｉｂｌｅ  Ｐｒｉｎｔｅｄ  Ｃｉｒｃｕｉｔ）である。具体的には、フラット回路体１０は、絶縁性樹脂シートの上に導電性の金属膜によって回路配線を形成し、この回路配線を保護するように絶縁樹脂性シートの表面を絶縁保護フィルムによって覆った回路体である。
【００２２】
フラット回路体１０は、端末部１１に接続部１２を有している。接続部１２は、端末部１１に突設されている。接続部１２では、回路配線に繋がる電極１３が並べて形成されており、これらの電極１３は、絶縁保護フィルムの一部を除去することによって片面側で露出するように露出形成されている。このようにして外部に露出形成された接続部１２の各電極１３が、コネクタ８０に設けられた各端子９０に電気的に接続される。
【００２３】
また、フラット回路体１０は、複数の電極１３の露出側と反対側の面に補強板１４が貼り付けられている。この補強板１４は、フラット回路体１０の端末部１１に両面テープ等の接着材を介して貼り付けることによって端末部１１を補強するものである。
【００２４】
フラット回路体１０は、端末部１１にフラット回路体１０を貫通する係合孔１５Ａ，１５Ｂが形成されている。一方の係合孔１５Ａは楕円穴とされ、他方の係合孔１５Ｂは丸穴とされている。また、一方の係合孔１５Ａの近傍には、連通孔１６が形成されている。
【００２５】
図４〜図９に示すように、スライドガイド部材２０は、スライド本体部３０と、スライドカバー６０とを有している。スライド本体部３０及びスライドカバー６０は、それぞれ平面視略直方体形状に形成されている。スライドガイド部材２０は、フラット回路体１０に対して、スライド本体部３０とスライドカバー６０とが端末部１１を挟持するように組み付けられる。これらのスライド本体部３０及びスライドカバー６０は、それぞれ合成樹脂等の絶縁性樹脂材料から形成されている。
【００２６】
スライド本体部３０は、回路体組付け部３１と、ハウジング内挿入壁３３と、接続ロック部３２とを有している。
回路体組付け部３１は、フラット回路体１０の端末部１１に組み付ける部分であり、平面状に形成されている。回路体組付け部３１は、係合突起３５Ａ，３５Ｂを有している。一方の係合突起３５Ａは、断面楕円形状に形成されており、他方の係合突起３５Ｂは、断面円形状に形成されている。一方の係合突起３５Ａは、フラット回路体１０の端末部１１に形成された一方の係合孔１５Ａに係合され、他方の係合突起３５Ｂは、フラット回路体１０の端末部１１に形成された他方の係合孔１５Ｂに係合される。
【００２７】
そして、係合孔１５Ａ，１５Ｂと係合突起３５Ａ，３５Ｂとが互いに係合することで、スライド本体部３０の回路体組付け部３１に対してフラット回路体１０の端末部１１が位置決めされる。また、回路体組付け部３１には、連通孔３６が形成されており、この連通孔３６は、回路体組付け部３１が組み付けられるフラット回路体１０の端末部１１の連通孔１６と連通される。
【００２８】
ハウジング内挿入壁３３は、コネクタ８０のハウジング８１への挿入方向へ延在する板状に形成されている。ハウジング内挿入壁３３には、その両側部にスライド壁部４１が形成され、コネクタ８０のハウジング８１への挿入方向前方側の縁部に、突条部４２が形成されている。このハウジング内挿入壁３３には、フラット回路体１０の端末部１１における接続部１２が配置される。端末部１１は、その接続部１２における電極１３が露出形成される面に対して逆の面をハウジング内挿入壁３３へ向けた状態で配置されて支持される。これにより、端末部１１の接続部１２は、ハウジング内挿入壁３３のスライド壁部４１及び突条部４２の内側に嵌め込まれた状態で支持される。
【００２９】
図１０に示すように、接続ロック部３２は、ハウジング内挿入壁３３に対して、フラット回路体１０が配置される側と反対側に形成されている。接続ロック部３２は、コネクタ８０のハウジング８１への挿入方向へ延在されている。この接続ロック部３２には、ロック孔３８が形成されている。接続ロック部３２は、コネクタ８０のハウジング８１に形成された後述するロック用突起８７に係合する。
【００３０】
また、スライド本体部３０は、その両側部に、凹部４５を有している。これらの凹部４５を構成する回路体組付け部３１及びハウジング内挿入壁３３側の側面には、後述する係止突起４７が形成されている。さらに、スライド本体部３０は、接続ロック部３２の両側位置に、コネクタ８０のハウジング８１への挿入方向に沿うガイド溝４８を有している。
【００３１】
スライドカバー６０は、回路体挟持部６１と、ハウジング外案内壁６２とを有している。回路体挟持部６１は、スライド本体部３０の回路体組付け部３１との間でフラット回路体１０の端末部１１を挟持する部分であり、平面状に形成されている。回路体挟持部６１は、嵌合孔６５Ａ，６５Ｂを有している。一方の嵌合孔６５Ａは、断面楕円形状に形成されており、他方の嵌合孔６５Ｂは、断面円形状に形成されている。一方の嵌合孔６５Ａには、フラット回路体１０の係合孔１５Ａに通されたスライド本体部３０の係合突起３５Ａが嵌合され、他方の嵌合孔６５Ｂには、フラット回路体１０の係合孔１５Ｂに通されたスライド本体部３０の係合突起３５Ｂが嵌合される。これにより、スライドカバー６０がスライド本体部３０に対して位置決めされる。また、回路体挟持部６１には、連通孔６６が形成されており、この連通孔６６は、フラット回路体１０及びスライド本体部３０の連通孔１６，３６と連通される。
【００３２】
ハウジング外案内壁６２は、コネクタ８０のハウジング８１への挿入方向へ延在する板状に形成されている。ハウジング外案内壁６２は、回路体挟持部６１に対して、スライド本体部３０への組み付け側と反対側に変位した位置に形成されている。この回路体挟持部６１は、スライドカバー６０をスライド本体部３０に組み付けた状態でハウジング内挿入壁３３に対して略平行に並んで電極１３が配列された端末部１１の接続部１２を覆うように配置される。そして、この回路体挟持部６１は、回路体挟持部６１からコネクタ８０のハウジング８１への挿入方向へ片持ち状に突出されており、コネクタ８０に接続した状態で、コネクタ８０のハウジング８１の後述する外側面８１ａに沿って延在する。このハウジング外案内壁６２には、スライド本体部３０への組み付け側と反対側の面に、補強リブ６３，６４が形成されている。補強リブ６３は、コネクタ８０のハウジング８１への挿入方向に沿って幅方向に間隔をあけて形成されている。補強リブ６４は、ハウジング外案内壁６２のコネクタ８０のハウジング８１への挿入方向側の縁部に沿って形成されている。そして、ハウジング外案内壁６２は、補強リブ６３，６４によって剛性が高められている。
【００３３】
スライドカバー６０の回路体挟持部６１には、その幅方向の両端に、係止ロック部７１が形成されている。係止ロック部７１は、回路体挟持部６１の幅方向の両端に二つずつ形成されており、それぞれスライド本体部３０側へ突設されている。係止ロック部７１は、コネクタ８０のハウジング８１への挿入方向に沿って配列されており、それぞれ係止孔７２を有している。これらの係止ロック部７１は、スライド本体部３０の係止突起４７に係合可能とされている。コネクタ８０のハウジング８１への挿入方向前方側の係止ロック部７１は、回路体挟持部６１の幅方向の両端部からコネクタ８０のハウジング８１への挿入方向へ片持ち状に突出されている。そして、係止ロック部７１は、ハウジング８１に挿入した状態でハウジング８１の幅方向の両側面に沿うように配置される。係止ロック部７１には、コネクタ８０のハウジング８１への挿入方向に沿って補強リブ７３が形成されて剛性が高められている。また、スライドカバー６０には、ハウジング外案内壁６２と係止ロック部７１との間に、切欠き部７４が形成されている。
【００３４】
スライド本体部３０とスライドカバー６０とから構成されたスライドガイド部材２０をフラット回路体１０に組み付けるには、まず、スライド本体部３０に対してフラット回路体１０の端末部１１を配設させる。具体的には、図１１に示すように、スライド本体部３０の回路体組付け部３１にフラット回路体１０の端末部１１を配置させ、係合孔１５Ａ，１５Ｂに係合突起３５Ａ，３５Ｂを係合させる。このようにすると、スライド本体部３０の回路体組付け部３１に対してフラット回路体１０の端末部１１が位置決めされて配置され、これにより、端末部１１の接続部１２がハウジング内挿入壁３３のスライド壁部４１及び突条部４２の内側に嵌め込まれる。
【００３５】
この状態で、スライド本体部３０に対して、図１１中の矢印（Ａ）方向にスライドカバー６０を近接させ、スライドカバー６０の回路体挟持部６１をスライド本体部３０の回路体組付け部３１に重ね、嵌合孔６５Ａ，６５Ｂに係合突起３５Ａ，３５Ｂを嵌合させる。また、スライド本体部３０の係止突起４７にスライドカバー６０の係止ロック部７１を係止させる。図１２の（ａ）に示すように、スライドカバー６０の係止ロック部７１は、スライド本体部３０に対してスライドカバー６０を押し付けることで、スライド本体部３０の係止突起４７に当接して弾性変形する。その後、図１２の（ｂ）に示すように、係止ロック部７１の係止孔７２に係止突起４７が入り込んで係止ロック部７１が復元する。これにより、係止ロック部７１が係止突起４７に係止されてスライド本体部３０にスライドカバー６０が固定される。
【００３６】
スライド本体部３０にスライドカバー６０が固定されることで、フラット回路体１０の端末部１１がスライド本体部３０の回路体組付け部３１とスライドカバー６０の回路体挟持部６１とで挟持される。これにより、フラット回路体１０の端末部１１に、スライド本体部３０とスライドカバー６０とからなるスライドガイド部材２０が組み付けられる。このスライドガイド部材２０が組み付けられた状態で、フラット回路体１０は、その端末部１１の接続部１２に露出形成された電極１３がスライドガイド部材２０のスライドカバー６０に形成されたハウジング外案内壁６２によって覆われた状態となる。
【００３７】
なお、フラット回路体１０の端末部１１へのスライドガイド部材２０の組み付け作業においては、スライド本体部３０、フラット回路体１０及びスライドカバー６０の連通孔１６，３６，６６をピン（図示略）に挿し込んでおく。このようにすることで、スライド本体部３０、フラット回路体１０及びスライドカバー６０を容易に位置決めすることができ、組み付け作業を円滑に行うことができる。
【００３８】
図１３及び図１４に示すように、コネクタ８０は、ハウジング８１と、複数の端子９０とを有している。端子９０は、ハウジング８１におけるスライドガイド部材２０の接続側と反対側である後端側から固定されている。端子９０は、ハウジング８１の幅方向に沿って配列されている。
【００３９】
ハウジング８１は、合成樹脂等の絶縁性樹脂材料から形成されている。ハウジング８１は、その幅方向の両端に、脚部８２を有しており、これらの脚部８２が回路基板１００に固定されている。これにより、ハウジング８１は、回路基板１００の所定の位置に実装されている。ハウジング８１は、脚部８２によって回路基板１００に固定されて実装されることで、底壁の外側面８１ａと回路基板１００との間に隙間８４が形成される。
【００４０】
ハウジング８１は、回路基板１００の実装面（図中、上面）と平行な方向に開口した嵌合凹部８３を有しており、この嵌合凹部８３にフラット回路体１０の端末部１１の接続部１２が挿し込まれる。嵌合凹部８３の両端には、スライド溝８５が形成されている。これらのスライド溝８５は、スライドガイド部材２０の接続方向に沿って形成されている。これらのスライド溝８５には、スライドガイド部材２０のスライド本体部３０に形成されたスライド壁部４１が係合される。
【００４１】
また、ハウジング８１には、回路基板１００への実装側と反対側（図中、上側）に、ガイド突起８６及びロック用突起８７が形成されている。ガイド突起８６は、ハウジング８１の幅方向の両端近傍にそれぞれ形成されており、スライドガイド部材２０のスライド本体部３０に形成されたガイド溝４８に係合する。ロック用突起８７は、ハウジング８１の幅方向の中央に形成されており、スライドガイド部材２０のスライド本体部３０に形成された接続ロック部３２のロック孔３８に係合する。
【００４２】
端子９０は、例えば、銅または銅合金等の導電性金属材料から形成されている。図３に示すように、端子９０は、脚部９１と、接触部９２と、押圧部９３とを有している。脚部９１は、回路基板１００の導体パターンに設けられたパッド９５にハンダ付けされて電気的に接続される。接触部９２及び押圧部９３は、互いに対向位置に配置されて脚部９１側で連結されている。これにより、端子９０は、側面視で接触部９２と押圧部９３とがＵ字状に形成されている。接触部９２には、押圧部９３側へ向かって突出する接触子９２ａを有している。端子９０は、ハウジング８１の後端側から挿し込まれて固定されている。端子９０は、接触部９２と押圧部９３とがハウジング８１の嵌合凹部８３内に配置されている。
【００４３】
次に、フラット回路体１０にスライドガイド部材２０が組み付けられたスライドガイド部材付きフラット回路体１をコネクタ８０へ接続する場合について説明する。
【００４４】
コネクタ８０にスライドガイド部材付きフラット回路体１のフラット回路体１０を接続すべく、コネクタ８０に対してスライドガイド部材２０を近接させる。このとき、スライドガイド部材付きフラット回路体１は、コネクタ８０に対して、スライドガイド部材２０のスライドカバー６０側が回路基板１００側となる向きに配置させる。
【００４５】
そして、スライドガイド部材２０におけるフラット回路体１０の端末部１１の接続部１２が、スライド本体部３０のハウジング内挿入壁３３とともにコネクタ８０のハウジング８１に形成された嵌合凹部８３に嵌合される。このようにすると、嵌合凹部８３内に嵌合されたフラット回路体１０の端末部１１の接続部１２が端子９０の接触部９２と押圧部９３との間に入り込み、接続部１２の各電極１３に端子９０の接触部９２に形成された接触子９２ａが接触して電気的に接続される。
【００４６】
このとき、スライドガイド部材２０のスライドカバー６０に形成されたハウジング外案内壁６２は、コネクタ８０のハウジング８１に干渉することなく、回路基板１００とハウジング８１との隙間８４に入り込み、ハウジング８１の外側面８１ａに沿って配置される。
【００４７】
また、コネクタ８０のハウジング８１に形成されたガイド突起８６がスライドガイド部材２０のスライド本体部３０に形成されたガイド溝４８に入り込んで係合する。さらに、ハウジング８１の嵌合凹部８３の両端に形成されたスライド溝８５に、スライドガイド部材２０のスライド本体部３０に形成されたスライド壁部４１が入り込んで係合する。これにより、スライドガイド部材２０は、コネクタ８０のハウジング８１に対して挿入案内される。
【００４８】
そして、コネクタ８０のハウジング８１に形成されたロック用突起８７が、スライドガイド部材２０のスライド本体部３０に形成された接続ロック部３２のロック孔３８に係合する。これにより、コネクタ８０のハウジング８１に対して、フラット回路体１０の端末部１１に組み付けられたスライドガイド部材２０がロックされ、コネクタ８０とフラット回路体１０の端末部１１との接続状態が維持される。
【００４９】
以上、説明したように、本実施形態に係るスライドガイド部材付きフラット回路体１、並びに、フラット回路体１０とコネクタ８０の接続構造によれば、フラット回路体１０の端末部１１に組み付けたスライドガイド部材２０のハウジング内挿入壁３３が、端末部１１の電極１３が露出形成される面と逆の面のみをフラット回路体１０の挿入方向に沿って支持するので、スライドガイド部材２０を低背化してコンパクトな構成とすることができる。また、スライドガイド部材２０のハウジング外案内壁６２によって、端末部１１の露出形成された電極１３が覆われているので、コネクタ８０に対する接続作業の際などに端末部１１の電極１３に手指が不用意に触れてしまうことがない。したがって、特に作業スペースが狭隘であっても、相手側のコネクタ８０に対して安全かつ良好に接続作業を行うことができる。
【００５０】
また、スライドガイド部材２０に設けたハウジング外案内壁６２が、コネクタ８０に対する接続時にはコネクタ８０のハウジング８１の外側面８１ａに沿って案内される。これにより、斜め挿入や抉りを生じることなく、フラット回路体１０の端末部１１及びスライドガイド部材２０をコネクタ８０のハウジング８１内にスムーズに挿入することができる。
【００５１】
また、スライド本体部３０とスライドカバー６０とで端末部１１を挟持することで、スライドガイド部材２０をフラット回路体１０に組み付けることができる。したがって、一体のスライドガイド部材の回路体固定部にフラット回路体１０の端末部１１を挿し込んで固定する場合のように、電極１３が視認しづらくなることはなく、組み付け時にフラット回路体１０の端末部１１の露出形成された電極１３を目視することができる。これにより、フラット回路体１０の端末部１１に対するスライドガイド部材２０の組み付け作業性を向上させることができる。
【００５２】
しかも、ハウジング８１の幅方向の両側面に沿って片持ち状に挿入方向に突出したスライドカバー６０の係止ロック部７１は、補強リブ７３が形成されることで剛性を確保できる。したがって、スライドカバー６０の係止ロック部７１をスライド本体部３０の係止突起４７へ確実に係止させ、スライド本体部３０に対してスライドカバー６０を固定することができる。
【００５３】
また、スライドガイド部材２０のガイド溝４８にハウジング８１のガイド突起８６が係合することで、ハウジング８１に対してスライドガイド部材２０が案内される。これにより、斜め挿入や抉りを生じることなく、スライドガイド部材２０をハウジング８１内によりスムーズに挿入することができる。また、ハウジング８１のガイド突起８６及びスライドガイド部材２０のガイド溝４８の位置を種類毎に異ならせることで、異種同士の誤接続を防止できる。
【００５４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５５】
ここで、上述した本発明に係るスライドガイド部材付きフラット回路体、並びに、フラット回路体とコネクタの接続構造の実施形態の特徴をそれぞれ以下［１］〜［５］に簡潔に纏めて列記する。
［１］  フラット回路体（１０）の端末部（１１）に組み付けたスライドガイド部材（２０）とともに前記端末部（１１）がコネクタ（８０）のハウジング（８１）内に挿入されることによって前記端末部（１１）に形成された電極（１３）と前記ハウジング（８１）内の端子（９０）とが電気的に接続されるスライドガイド部材付きフラット回路体であって、
前記スライドガイド部材（２０）は、
前記端末部（１１）とともに前記ハウジング（８１）内に挿入され、かつ、前記端末部（１１）の前記電極（１３）が形成される面に対して逆の面が前記フラット回路体（１０）の挿入方向に沿って支持されるように前記挿入方向に沿って延びるハウジング内挿入壁（３３）と、
前記ハウジング内挿入壁（３３）に対して略平行に並んで前記電極（１３）を覆うように片持ち状に前記挿入方向に突出し、かつ、前記ハウジング（８１）の外側面（８１ａ）に沿って延びるハウジング外案内壁（６２）と、
を備えることを特徴とするスライドガイド部材付きフラット回路体（１）。
［２］  フラット回路体（１０）の端末部（１１）に組み付けたスライドガイド部材（２０）とともに前記端末部（１１）がコネクタ（８０）のハウジング（８１）内に挿入され、前記スライドガイド部材（２０）と前記ハウジング（８１）とが固定されることによって、前記端末部（１１）に形成した電極（１３）と前記ハウジング（８１）内の端子（９０）とが電気的に接続された状態で前記フラット回路体（１０）が前記ハウジング（８１）に固定されるフラット回路体（１０）とコネクタ（８０）の接続構造であって、
前記スライドガイド部材（２０）は、
前記端末部（１１）とともに前記ハウジング（８１）内に挿入され、かつ、前記端末部（１１）の前記電極（１３）が形成される面に対して逆の面が前記フラット回路体（１０）の挿入方向に沿って支持されるように前記挿入方向に沿って延びるハウジング内挿入壁（３３）と、
前記ハウジング内挿入壁（３３）に対して略平行に並んで前記電極（１３）を覆うように片持ち状に前記挿入方向に突出し、かつ、前記ハウジング（８１）の外側面（８１ａ）に沿って延びるハウジング外案内壁（６２）と、
を備えることを特徴とするフラット回路体とコネクタの接続構造。
［３］  前記スライドガイド部材（２０）は、
前記端末部（１１）に組み付ける部分となる回路体組付け部（３１）と、前記ハウジング（８１）のロック用突起（８７）に係合して前記スライドガイド部材（２０）を前記ハウジング（８１）に固定する部分となる接続ロック部（３２）と、前記ハウジング内挿入壁（３３）と、を有するスライド本体部（３０）と、
前記回路体組付け部（３１）との間で前記端末部（１１）を挟持する回路体挟持部（６１）と、前記ハウジング外案内壁（６２）と、を有して前記スライド本体部（３０）に組み付けられるスライドカバー（６０）と、
を備えることを特徴とする上記［２］に記載のフラット回路体とコネクタの接続構造。
［４］  前記スライドカバー（６０）は、
前記回路体挟持部（６１）の幅方向の両端部から前記ハウジング（８１）の幅方向の両側面に沿って片持ち状に前記挿入方向に突出し、かつ、前記スライド本体部（３０）の係止突起（４７）に係合して前記スライドカバー（６０）を前記スライド本体部（３０）に係止する部分となる係止ロック部（７１）と、
前記挿入方向に沿って前記係止ロック部（７１）に形成された補強リブ（７３）と、
を有することを特徴とする上記［３］に記載のフラット回路体とコネクタの接続構造。
［５］  前記スライドガイド部材（２０）には、前記コネクタ（８０）の前記ハウジング（８１）に形成されたガイド突起（８６）が係合されるガイド溝（４８）が前記ハウジング（８１）への挿入方向に沿って形成されている
ことを特徴とする上記［２］〜［４］のいずれか一つに記載のフラット回路体とコネクタの接続構造。
【符号の説明】
【００５６】
１…スライドガイド部材付きフラット回路体
１０…フラット回路体
１１…端末部
１３…電極
２０…スライドガイド部材
３０…スライド本体部
３１…回路体組付け部
３２…接続ロック部
３３…ハウジング内挿入壁
４７…係止突起
４８…ガイド溝
６０…スライドカバー
６１…回路体挟持部
６２…ハウジング外案内壁
７１…係止ロック部
７３…補強リブ
８０…コネクタ
８１…ハウジング
８６…ガイド突起
８７…ロック用突起
９０…端子
【図１】
2020004503.tif 000003
【図２】
2020004503.tif 000004
【図３】
2020004503.tif 000005
【図４】
2020004503.tif 000006
【図５】
2020004503.tif 000007
【図６】
2020004503.tif 000008
【図７】
2020004503.tif 000009
【図８】
2020004503.tif 000010
【図９】
2020004503.tif 000011
【図１０】
2020004503.tif 000012
【図１１】
2020004503.tif 000013
【図１２】
2020004503.tif 000014
【図１３】
2020004503.tif 000015
【図１４】
2020004503.tif 000016